(57)【要約】【課題】マッサージなどをオイルまたはジェル等を用いることなく、施術がしやすく、ふき取り作業がなく、かつ経済的で、しかも美容、健康などに好適である。【解決手段】健康具は、身体表面または着衣状態で身体に当てるシルク布製品と、シルク布製品を加圧摺動する摩擦用シルク布製品とからなる。シルク布製品が、シート、カバーのいずれかであり、摩擦用シルク布製品が、手袋、カバー、シートのいずれかである。【選択図】図１
0003140668.tif 000002
【実用新案登録請求の範囲】
【請求項１】
身体表面または着衣状態で身体に当てるシルク布製品と、
前記シルク布製品を加圧摺動する摩擦用シルク布製品とからなることを特徴とする健康具。
【請求項２】
前記シルク布製品が、シート、カバーのいずれかであり、
前記摩擦用シルク布製品が、手袋、カバー、シートのいずれかであることを特徴とする請求項１に記載の健康具。
【考案の詳細な説明】
【技術分野】
【０００１】
この考案は、詳しくは、マッサージなどをオイルまたはジェル等を用いることなく行うことができ、かつ美容、健康などに好適な健康具に関する。
【背景技術】
【０００２】
近年では、単に指や手のひらの押圧あるいは揉みや、さすりという動作だけでなく、例えば揉みや、さすりの際の摩擦抵抗軽減や薬効を得る等の目的で種々の成分を含むオイルを肌に塗った状態でマッサージを行うことがある（特許文献１）。
【特許文献１】特開２００７−１２５３０１
【考案の開示】
【考案が解決しようとする課題】
【０００３】
しかし、オイルを塗った施術箇所を直接手により施術しようとすると、オイルによって手が滑りやすく、施術困難となりやすい。そこで、施術箇所に当て布を置いて施術することが考えられる。ところで、オイルが塗られている側の表面は、滑りやすいのでマッサージの際に当て布自体が施術箇所を滑ってしまうことがある。このため、施術の方法も、さする等の滑りやすいような内容ではなく、押圧や揉みなどのように当て布の位置が変わらないようにする内容を採らざるを得ないこともあり、マッサージの内容が単純なものとなる虞がある。
【０００４】
また、マッサージには、指圧や手のひらの押圧などのように一点への集中的な圧力を加えるツボ療法の他に、手のひらで軽く押しながらさする等のように面圧を加える療法がある。
【０００５】
後者の場合には、施術範囲を大きくとれることに起因してリンパの流れがよくなり、老廃物の除去や筋肉に溜まる疲労物質の排除などにおいて前者の療法の２〜３倍以上の効果が期待できるとされている。
【０００６】
しかも、指圧などのような一点への集中的な圧力を加えることがないので、筋肉への過剰な負荷による痛み等を生じにくくした施術が行える。しかし、オイルまたはジェル等を塗布したような場合のマッサージに際しては、手のひらなどを軽く抑えながらさするなどの施術が行いにくいのが現状である。
【０００７】
また、オイルまたはジェル等を使用したマッサージでは、施術の後「ふきとり」の作業がかかせず、そのため温タオルを何枚か使い、ふき取った後も温タオルふき取り後の蒸発熱が肌をさまし（ひやっとする）、また必ずしも使用したオイルやジェル等が完璧にふき取れず、肌に不快感が残る。また、完璧にふき取れず、肌に残った成分は不自然な熱や蒸れた感じを体に残し、１００％心地よい仕上がりにならないことがある。施術者側も、多くのふき取り用熱処理タオルを使用し、その洗濯も多大な量になり、水、電気、洗剤を沢山使用し不経済である。
【０００８】
この考案は、かかる点に鑑みなされたもので、マッサージなどをオイルまたはジェル等を用いることなく、施術がしやすく、ふき取り作業がなく、かつ経済的で、しかも美容、健康などに好適な健康具を提供することを目的としている。
【課題を解決するための手段】
【０００９】
前記課題を解決し、かつ目的を達成するために、この考案は、以下のように構成した。
【００１０】
請求項１に記載の考案は、
身体表面または着衣状態で身体に当てるシルク布製品と、
前記シルク布製品を加圧摺動する摩擦用シルク布製品とからなることを特徴とする健康具である。
【００１１】
請求項２に記載の考案は、
前記シルク布製品が、シート、カバーのいずれかであり、
前記摩擦用シルク布製品が、手袋、カバー、シートのいずれかであることを特徴とする請求項１に記載の健康具である。
【考案の効果】
【００１２】
前記構成により、この考案は、以下のような効果を有する。
【００１３】
請求項１に記載の考案では、使用者本人が、シルク布製品を身体表面または着衣状態で身体に当て、摩擦用シルク布製品によってシルク布製品を加圧摺動し、顔や手などそっとなでたところではリンパの流れがよくなり、老廃物の除去や筋肉に溜まる疲労物質の排除などによってすべすべしっとりとなり、またさすり等のタッチがやさしく心地よく全身が温かくなり、身体に柔軟性を持たせることができ、美容、健康に好適である。また、オイルまたはジェル等を用いないため、施術がしやすく、ふき取り作業がなく、しかもタオル、水、電気、洗剤それに必要な電気製品の数々が不要で経済的である。
【００１４】
請求項２に記載の考案では、シルク布製品が、シート、カバーのいずれかであり、摩擦用シルク布製品が、手袋、カバー、シートのいずれかであり、身体の何処でも特に限定されることなく、摩擦用シルク布製品布によって顔や手などに当てたシルク布製品をそっとなでることで、例えば、衣服の上からのマッサージにおいても衣服の上からリンパ液を流すのはごわごわして上手に流されていないが、普通にマッサージをうけるときと同じ衣服の上からでもスルスルとすべりがよく、リンパ液を流すことができる。また、シルク布製品を枕カバーとし、摩擦用シルク布製品を頭カバーやシートとして寝るだけで、自然に頭が動き普通にマッサージをうけるときと同じ状態になり、リンパ液を流すことができる。
【考案を実施するための最良の形態】
【００１５】
以下、この考案の実施の形態について説明する。この考案の実施の形態は、考案の最も好ましい形態を示すものであり、この健康具、身体表面または着衣状態で身体に当てるシルク布製品と、シルク布製品を加圧摺動する摩擦用シルク布製品とからなり、シルク布製品が、シート、カバーのいずれかであり、摩擦用シルク布製品が、手袋、カバー、シートのいずれかであることが好ましいが、この考案はこれに限定されない。
［第１の実施の形態］
第１の実施の形態の健康具を、図１に示す。図１は健康具を用いてマッサージを施す状態を示す図である。この実施の形態では、シルク布製品が、肩カバー１であり、摩擦用シルク布製品が、手袋２である。使用者３は、身体表面または着衣状態で肩に肩カバー１を掛け、手に手袋２を嵌める。
【００１６】
この実施の形態では、使用者３が手袋２を用いて肩カバー１を加圧摺動する。この手袋２では、肩カバー１の上から円を描くように矢印方向に回転しながら加圧摺動し、肩カバー１の全面を加圧摺動し、この繰り返しで上半身全体を加圧摺動する。
【００１７】
このように、肩カバー１を当て、使用者３が手袋２を用いて肩カバー１の上から加圧摺動してマッサージし、使用者３の上半身をそっとなでたところではリンパの流れがよくなり、老廃物の除去や筋肉に溜まる疲労物質の排除などですべすべしっとりとなり、またさすり等のタッチがやさしく心地よく全身が温かくなり、全身に柔軟性を持たせることができ、きめの細かいつやの良い肌になり、美容、健康に好適である。
【００１８】
また、オイルまたはジェル等を用いないため、施術がしやすく、ふき取り作業がなく、しかもタオル、水、電気、洗剤それに必要な例えばホットキャビネット、消毒器、洗濯機、乾燥機などの電気製品の数々が不要で経済的である。
【００１９】
この肩カバー１または手袋２は、一重以上であり、手袋２としてミトンが用いられる。肩カバー１または手袋２が一重以上であることで、身体の何処でも特に限定されることなく、手袋２によってそっとなでることができる。例えば、衣服の上からのマッサージにおいても衣服の上からリンパ液を流すのはごわごわして上手に流されていないが、普通にマッサージをうけるときと同じ衣服の上からでもスルスルとすべりがよく、リンパ液を流すことができる。
【００２０】
また、肩カバー１または手袋２には、絹または合成繊維が用いられる。絹または合成繊維を用いると、絹は人の肌とタンパク成分がほぼ同じでアレルギーを起こす人が非常に少なく好ましい。例えば、マッサージにオイルやジェルを塗布すると、その成分によってアレルギーを起こす人が目立つが、絹または合成繊維絹を用いてマッサージすることでアレルギーを起こすことがなくなる。また、人の肌とほぼ同じたんぱく組成である絹は、直接素肌に施術すると肌のきめが細かくなり施術が度重なると、きめの細かいつやの良い肌になる。
［第２の実施の形態］
第２の実施の形態の健康具を、図２に示す。図２は健康具を用いてマッサージを施す状態を示す図である。この実施の形態では、シルク布製品が、顔カバー１１であり、摩擦用シルク布製品が、手袋２である。使用者３は、顔全体に顔カバー１１を当て、手に手袋２を嵌める。
【００２１】
使用者３は、顔全体に顔カバー１１を当てた部分に、手袋２を用いて顔カバー１１の上から加圧摺動する。この実施の形態でも、顔カバー１１の上から手袋２で円を描くように矢印方向に回転しながら加圧摺動し、この繰り返しで顔全体を加圧摺動する。このようにして顔全体をマッサージする。
［第３の実施の形態］
第３の実施の形態の健康具を、図３に示す。図３は健康具を用いてマッサージを施す状態を示す図である。この実施の形態では、シルク布製品が、アイカバー２１であり、摩擦用シルク布製品が、手袋２である。使用者３は、目を覆う部分にアイカバー２１を当て、手に手袋２を嵌める。
【００２２】
使用者３は、手袋２を用いてアイカバー２１の上から加圧摺動する。この実施の形態でも、アイカバー２１の上から手袋２で円を描くように矢印方向に回転しながら加圧摺動し、この繰り返しで目を覆う部分全体を加圧摺動する。このようにして目を覆う部分全体をマッサージする。
［第４の実施の形態］
第４の実施の形態の健康具を、図４に示す。図４は健康具を用いてマッサージを施す状態を示す図である。この実施の形態では、シルク布製品が、頭カバー３１であり、摩擦用シルク布製品が、手袋２である。使用者３は、頭を覆う部分に頭カバー３１を当て、手に手袋２を嵌める。
【００２３】
使用者３は、頭を覆う部分に頭カバー３１を当てた部分に、手袋２を用いて頭カバー３１を加圧摺動する。この実施の形態でも、頭カバー３１の上から手袋２で円を描くように矢印方向に回転しながら加圧摺動し、この繰り返しで頭を覆う部分全体を加圧摺動する。このようにして頭全体をマッサージする。
［第５の実施の形態］
第５の実施の形態の健康具を、図４に示す。図５は健康具を用いてマッサージを施す状態を示す図である。この実施の形態では、シルク布製品が、シート４１であり、摩擦用シルク布製品が、手袋２である。使用者３は、腹の部分にシート４１を当て、手に手袋２を嵌める。
【００２４】
使用者３は、シート４１を当てた部分に、手袋２を用いてシート４１を加圧摺動する。この実施の形態でも、シート４１の上から手袋２で円を描くように矢印方向に回転しながら加圧摺動し、この繰り返しで腹の部分全体を加圧摺動する。このようにして腹全体をマッサージする。
［第６の実施の形態］
第６の実施の形態の健康具を、図６に示す。図６は健康具を用いてマッサージを施す状態を示す図である。この実施の形態では、シルク布製品が、頭カバー５１であり、摩擦用シルク布製品が、枕カバー１２である。使用者３は、頭の部分に頭カバー５１を当て、枕カバー１２を枕に嵌める。
【００２５】
使用者３は、頭の部分に頭カバー５１を当て、枕カバー１２を嵌めた枕の上に寝ると、寝た状態で自然に使用者３が頭を動かすために、枕カバー１２を用いて頭カバー５１を加圧摺動する。この実施の形態でも、頭全体をマッサージする。
［第７の実施の形態］
第７の実施の形態の健康具を、図７に示す。図７は健康具を用いてマッサージを施す状態を示す図である。この実施の形態では、シルク布製品が、シート６１であり、摩擦用シルク布製品が、枕カバー１２である。使用者３は、枕カバー１２を枕に嵌め、この枕カバー１２の上にシート６１を置く。
【００２６】
使用者３は、頭の部分をシート６１に当て、枕カバー１２を嵌めた枕の上に寝ると、寝た状態で自然に使用者３が頭を動かすために、枕カバー１２を用いてシート６１を加圧摺動する。この実施の形態でも、頭全体をマッサージする。
［第８の実施の形態］
第８の実施の形態の健康具を、図８に示す。図８は健康具を用いてマッサージを施す状態を示す図である。この実施の形態では、シルク布製品が、肩カバー１であり、摩擦用シルク布製品が、シート２２である。使用者３は、身体表面または着衣状態で肩に肩カバー１を掛け、シート２２の両端を手で持って帯状にする。
【００２７】
この実施の形態では、使用者が帯状のシート２２を用いて肩カバー１を加圧摺動する。この帯状のシート２２では、肩カバー１の上から矢印方向に移動しながら加圧摺動し、肩カバー１の全面を加圧摺動し、この繰り返しで上半身全体を加圧摺動する。このようにして上半身全体をマッサージする。
［第９の実施の形態］
第９の実施の形態の健康具を、図９に示す。図９は健康具を用いてマッサージを施す状態を示す図である。この実施の形態では、シルク布製品が、シート４１であり、摩擦用シルク布製品が、シート２２である。使用者３は、身体表面または着衣状態で足のふくらはぎの部分にシート４１を巻き付け、シート２２の両端を手で持って帯状にする。
【００２８】
この実施の形態では、使用者が帯状のシート２２を用いてシート４１の上から矢印方向に移動しながら加圧摺動し、巻き付けたシート４１の全面を加圧摺動し、この繰り返しで足のふくらはぎの部分を加圧摺動する。このようにして足のふくらはぎの部分全体をマッサージする。
［第１０の実施の形態］
第１０の実施の形態の健康具を、図１０に示す。図１０は健康具を用いてマッサージを施す状態を示す図である。この実施の形態では、シルク布製品が、シート４１であり、摩擦用シルク布製品が、シート２２である。使用者３は、身体表面または着衣状態で腹から腰全体の部分にシート４１を巻き付け、シート２２の両端を手で持って帯状にする。
【００２９】
この実施の形態では、使用者が帯状のシート２２を用いてシート４１の上から矢印方向に移動しながら加圧摺動し、巻き付けたシート４１の全面を加圧摺動し、この繰り返しで腰全体の部分を加圧摺動する。このようにして腹から腰全体の部分をマッサージする。
［第１１の実施の形態］
第１１の実施の形態の健康具を、図１１に示す。図１１は健康具を用いてマッサージを施す状態を示す図である。この実施の形態では、シルク布製品が、シート４１であり、摩擦用シルク布製品が、シート２２である。使用者３は、身体表面または着衣状態で胸から背中全体の部分にシート４１を巻き付け、シート２２の両端を手で持って帯状にする。
【００３０】
この実施の形態では、使用者が帯状のシート２２を用いてシート４１の上から矢印方向に移動しながら加圧摺動し、巻き付けたシート４１の全面を加圧摺動し、この繰り返しで胸から背中全体の部分を加圧摺動する。このようにして胸から背中全体の部分をマッサージする。
【産業上の利用可能性】
【００３１】
この考案は、マッサージなどをオイルまたはジェル等を用いることなく行うことができ、かつ美容、健康などに好適な健康具に適用可能であり、マッサージなどをオイルまたはジェル等を用いることなく、施術がしやすく、ふき取り作業がなく、かつ経済的で、しかも美容、健康などに好適である。
【図面の簡単な説明】
【００３２】
【図１】第１の実施の形態の健康具を用いてマッサージを施す状態を示す図である。
【図２】第２の実施の形態の健康具を用いてマッサージを施す状態を示す図である。
【図３】第３の実施の形態の健康具を用いてマッサージを施す状態を示す正面図である。
【図４】第３の実施の形態の健康具を用いてマッサージを施す状態を示す側面図である。
【図５】第５の実施の形態の健康具を用いてマッサージを施す状態を示す側面図である。
【図６】第６の実施の形態の健康具を用いてマッサージを施す状態を示す側面図である。
【図７】第７の実施の形態の健康具を用いてマッサージを施す状態を示す側面図である。
【図８】第８の実施の形態の健康具を用いてマッサージを施す状態を示す側面図である。
【図９】第９の実施の形態の健康具を用いてマッサージを施す状態を示す側面図である。
【図１０】第１０の実施の形態の健康具を用いてマッサージを施す状態を示す側面図である。
【図１１】第１１の実施の形態の健康具を用いてマッサージを施す状態を示す側面図である。
【符号の説明】
【００３３】
１  肩カバー
２  手袋
３  使用者
１１  顔カバー
１２  枕カバー
２１  アイカバー
２２  シート
３１  頭カバー
４１  シート
５１  頭カバー
６１  シート
【図１】
0003140668.tif 000003
【図２】
0003140668.tif 000004
【図３】
0003140668.tif 000005
【図４】
0003140668.tif 000006
【図５】
0003140668.tif 000007
【図６】
0003140668.tif 000008
【図７】
0003140668.tif 000009
【図８】
0003140668.tif 000010
【図９】
0003140668.tif 000011
【図１０】
0003140668.tif 000012
【図１１】
0003140668.tif 000013